(57)【要約】簡単な構造により、洗濯物を係止して物干し棒からの落下を防ぐ洗濯物押さえ具である。複数の物干し棒２２に交差して載置される一方向に長く形成されたチェーン２７を備え、物干し棒２２にかけられた洗濯物３２を物干し棒２２側に押圧して係止する。チェーン２７の所定位置には、一対の物干し棒２２の下方に下垂するおもり３０を有し、チェーン２７の両端部には物干し棒２２に係止される係止部材であるクリップ２８を備える。
2007125905.tif 000002
【特許請求の範囲】
【請求項１】
複数の物干し棒に交差して載置される一方向に長く形成された本体が設けられ、前記物干し棒にかけられた洗濯物を前記本体により前記物干し棒に押圧して係止することを特徴とする洗濯物押さえ具。
【請求項２】
前記本体は、紐体またはチェーンで作られ、前記本体の所定位置には、前記一対の物干し棒の間に下垂するおもりが設けられ、前記本体には前記物干し棒に係止される係止部材が設けられていることを特徴とする請求項１記載の洗濯物押さえ具。
【請求項３】
前記本体はチェーンで作られ、前記本体には前記物干し棒に係止される係止部材が設けられ、前記係止部材には前記チェーンよりも短い紐体が連結され、前記チェーンが前記紐体に複数個所で保持されて波状に下垂して変形し、前記物干し棒の間に前記チェーンが位置して前記洗濯物を前記物干し棒に押圧して係止することを特徴とする請求項１記載の洗濯物押さえ具。
【請求項４】
前記本体は、外側面を形成し通気性を有する袋体と、前記袋体の内側空間を貫通する棒部材と、前記袋体の内側空間を区切る区切り板と、前記一対の区切り板の間に入れられた粒状充填材が設けられていることを特徴とする請求項１記載の洗濯物押さえ具。
【請求項５】
前記本体は、外側面を形成し通気性を有する袋体と、前記袋体に入れられる柔軟な充填材と、前記袋体の外側面に取り付けられた紐体が設けられ、前記紐体には前記物干し棒に係止される係止部材が設けられていることを特徴とする請求項１記載の洗濯物押さえ具。
【請求項６】
前記本体は、一方向に長く形成された弾性体と、前記弾性体の側面に形成され前記物干し棒が差し込まれる切り込みが設けられ、前記切り込みは前記弾性体の長手方向に対して交差して設けられていることを特徴とする請求項１記載の洗濯物押さえ具。
【請求項７】
前記弾性体は通気性発泡体により四角柱形に形成され、前記通気性発泡体の長手方向に沿う一方の側面に、前記切り込みを形成する切込線が設けられ、前記切込線が形成された側面の長手方向に沿って、前記切込線が貫通した一方の側面に、前記弾性体よりも硬い保持層が設けられ、前記保持層には前記切込線に対応した対置に、所定幅の空間があけられたスリットが形成されていることを特徴とする請求項６記載の洗濯物押さえ具。
【請求項８】
前記弾性体の、前記切込線が形成された側面の角部は、斜面状に切り欠かれていることを特徴とする請求項６又は７記載の洗濯物押さえ具。
【請求項９】
前記弾性体の前記切込線は、前記保持層の前記スリットの一対の側縁部と一致する部分に２本形成され、前記２本の切込線の間の切り残し部分は、前記物干し棒を弾性的に上方から押さえる押さえ片となることを特徴とする請求項６又は７記載の洗濯物押さえ具。
【請求項１０】
前記弾性体は、複数個の矩形のブロック体が一列に接合されて設けられ、前記一対のブロック体の接触面は、一部が接合され、その他の部分は接合されずに前記切込線となることを特徴とする請求項６記載の洗濯物押さえ具。
【請求項１１】
前記弾性体は、複数個の矩形のブロック体が一列に並べられ、前記複数のブロック体を貫通して保持した棒部材と、前記複数のブロック体が並べられた側面の一部を一周して固定され前記ブロック体を保持した網状部材と、前記複数のブロック体が互いに接した部分であって前記網状部材から出ている部分が前記切り込みとなることを特徴とする請求項６記載の洗濯物押さえ具。
【請求項１２】
前記弾性体には、前記保持層に対して略直角に位置し前記切込線と反対の側面に、通気性を有する補強材が取り付けられていることを特徴とする請求項７記載の洗濯物押さえ具。
【請求項１３】
前記本体は、通気性のある生地をカットしたものであり、前記シートの一対の側縁部にはその側縁に対して交差する切断線が形成され、前記シートの両端部には前記側縁部の切断線間の幅に形成された硬質の持ち手が設けられ、前記切断線の切断端面が前記物干し棒にかけられた洗濯物を両側から挟持することを特徴とする請求項１記載の洗濯物押さえ具。
【請求項１４】
前記本体は、網をカットしたものであり、前記網の一対の側縁部にはその側縁に対して交差する切断線が形成され、前記網の両端部には前記側縁部の切断線間の幅に形成された硬質の持ち手が設けられ、前記切断線は、前記網を形成する網目を横断する位置に設けられ、切断された網目の切断面が前記物干し棒にかけられた洗濯物を両側から押圧して挟持することを特徴とする請求項１記載の洗濯物押さえ具。
【請求項１５】
前記本体は、通気性を有する板部材であり、前記板部材に沿う一対の側縁部には通気性のある生地や網が取り付けられ、前記通気性のある生地や網の側縁部にはその側縁に交差する切断線が形成され、前記切断線は、前記通気性のある生地や網を形成する網目を横断する位置に設けられ、切断された網目の切断面が前記物干し棒にかけられた洗濯物を両側から押圧して挟持することを特徴とする請求項１記載の洗濯物押さえ具。
【請求項１６】
前記複数の物干し棒は、折り畳み可能に設けられ、折り畳み可能な物干しスタンドに取り付けられ、前記本体は紐体、チェーン、袋体、スポンジ、網、生地、またはトレイ状に作られていることを特徴とする請求項1記載の洗濯物押さえ具。
【請求項１７】
前記複数の物干し棒は、複数段の物干し部から成り、折り畳み可能に設けられ、折り畳み可能な物干しスタンドに取り付けられ、前記複数段の物干し部の下段の物干し部に対して上段の物干し部裏面に設けられた押さえ具を備えたことを特徴とする請求項1６記載の洗濯物押さえ具。
【発明の詳細な説明】
【技術分野】
【０００１】
この発明は、洗濯物がかけられた物干し棒に載せて洗濯物を保持する洗濯物押さえ具に関する。
【背景技術】
【０００２】
従来、任意の場所に移動させ、洗濯物をかけて干すことができる物干しスタンドがあった。物干しスタンドは、地面や床に置かれる脚部が設けられ、脚部の上方にはほぼ水平な物干し棒が設けられている。物干し棒は複数本設けられ、互いに平行に、ほぼ等間隔に設けられている。このような物干しスタンドの使用方法は、物干し棒に洗濯物を二つ折りしてかけて干すだけであり、タオル等を簡単に大量に干すことができる。
【特許文献１】特開２００２−２６３３９８号公報
【特許文献２】特開２００２−３６９９９９号公報
【発明の開示】
【発明が解決しようとする課題】
【０００３】
上記従来の技術の場合、物干しスタンドは物干し棒に洗濯物を二つ折りしてかけるだけなので、屋外で使用する場合は風で洗濯物が飛ばされたり、洗濯物が地面に落下して汚れたり、また紛失したりすることもあった。洗濯物に洗濯ばさみを取り付けて物干し棒に係止する方法もあるが、１本１本の物干し棒に取り付けなければならず、手間と時間がかかるものであった。【０００４】
この発明は、上記従来の技術の問題点に鑑みてなされたものであり、簡単な構造で洗濯物を係止して物干し棒からの落下を防ぐ洗濯物押さえ具を提供することを目的とする。
【課題を解決するための手段】
【０００５】
本発明は、複数の物干し棒に交差して載置される一方向に長く形成された本体が設けられ、前記物干し棒にかけられた洗濯物を、前記本体により前記物干し棒に押圧して係止する洗濯物押さえ具である。【０００６】
前記本体は、紐体またはチェーンで作られ、前記本体の所定位置には、前記一対の物干し棒の間に下垂するおもりが設けられ、前記本体には前記物干し棒に係止される係止部材が設けられているものである。【０００７】
または、前記本体はチェーンで作られ、前記本体には前記物干し棒に係止される係止部材が設けられ、前記係止部材には前記チェーンよりも短い紐体が連結され、前記チェーンが前記紐体に複数個所で保持されて波状に下垂して変形し、前記物干し棒の間に前記チェーンが位置して前記洗濯物を前記物干し棒に押圧して係止するものである。【０００８】
また前記本体は、外側面を形成し通気性を有する袋体と、前記袋体の内側空間を貫通する棒部材と、前記袋体の内側空間を区切る区切り板と、前記一対の区切り板の間に入れられた粒状充填材が設けられているものである。【０００９】
または、前記本体は、外側面を形成し通気性を有する袋体と、前記袋体に入れられる柔軟な充填材と、前記袋体の外側面に取り付けられた紐体が設けられ、前記紐体には前記物干し棒に係止される係止部材が設けられているものである。【００１０】
また前記本体は、一方向に長く形成された弾性体と、前記弾性体の側面に形成され前記物干し棒が差し込まれる切り込みが設けられ、前記切り込みは前記弾性体の長手方向に対して交差して設けられているものである。【００１１】
前記弾性体は通気性発泡体により四角柱形に形成され、前記通気性発泡体の長手方向に沿う一方の側面に、前記切り込みを形成する切込線が設けられ、前記切込線が形成された側面の長手方向に沿って、前記切込線が貫通した一方の側面に、前記弾性体よりも硬い保持層が設けられ、前記保持層には前記切込線に対応した対置に、所定幅の空間があけられたスリットが形成されているものである。【００１２】
前記弾性体の、前記切込線が形成された側面の角部は、斜面状に切り欠かれているものも良い。さらに、前記弾性体には、前記保持層に対して略直角に位置し前記切込線と反対の側面に、通気性を有する補強材が取り付けられているものでも良い。【００１３】
さらに、前記弾性体の前記切込線は、前記保持層の前記スリットの一対の側縁部と一致する部分に２本形成され、前記２本の切込線の間の切り残し部分は、前記物干し棒を弾性的に上方から押さえる押さえ片となるものでも良い。【００１４】
または、前記弾性体は、複数個の矩形のブロック体が一列に接合されて設けられ、前記一対のブロック体の接触面は、一部が接合され、その他の部分は接合されずに前記切込線となるものである。【００１５】
または、前記弾性体は、複数個の矩形のブロック体が一列に並べられ、前記複数のブロック体を貫通して保持した棒部材と、前記複数のブロック体が並べられた側面の一部を一周して固定され前記ブロック体を保持した網状部材と、前記複数のブロック体が互いに接した部分であって前記網状部材から出ている部分が前記切り込みとなるものである。【００１６】
また前記本体は、通気性のある生地をカットしたものであり、前記生地の一対の側縁部にはその側縁に対して交差する切断線が形成され、前記生地の両端部には前記側縁部の切断線間の幅に形成された硬質の持ち手が設けられ、前記切断線の切断端面が前記物干し棒にかけられた洗濯物を両側から挟持するものである。【００１７】
また前記本体は、網をカットしたものであり、前記網の一対の側縁部にはその側縁に対して交差する切断線が形成され、前記網の両端部には前記側縁部の切断線間の幅に形成された硬質の持ち手が設けられ、前記切断線は、前記網を形成する網目を横断する位置に設けられ、切断された網目の切断面が前記物干し棒にかけられた洗濯物を両側から押圧して挟持するものである。【００１８】
また前記本体は、通気性を有する板部材であり、前記板部材に沿う一対の側縁部には網が取り付けられ、前記網の側縁部にはその側縁に交差する切断線が形成され、前記切断線は、前記網を形成する網目を横断する位置に設けられ、切断された網目の切断面が前記物干し棒にかけられた洗濯物を両側から押圧して挟持するものである。【００１９】
また、洗濯物を掛ける物干し棒を上下二段して洗濯物が乾きやすい構造とし、収納に際しても、折り畳み可能としてコンパクトにしたものである。
【発明の効果】
【００２０】
本発明の洗濯物押さえ具は、簡単な構造で、確実に洗濯物を物干し棒に係止して、洗濯物の落下や紛失を防ぐことができる。また、洗濯物の水分の蒸発を妨げることなく十分に乾燥させることができる。
【図面の簡単な説明】
【００２１】
【図１】この発明の第一実施形態の洗濯物押さえ具の使用状態を示す斜視図である。
【図２】この発明の第一実施形態の洗濯物押さえ具の斜視図である。
【図３】この発明の第二実施形態の洗濯物押さえ具の斜視図である。
【図４】この発明の第三実施形態の洗濯物押さえ具の斜視図である。
【図５】この発明の第四実施形態の洗濯物押さえ具の斜視図である。
【図６】この発明の第五実施形態の洗濯物押さえ具の不織布部側から見た斜視図（ａ）とスポンジ体側から見た斜視図（ｂ）である。
【図７】この発明の第六実施形態の洗濯物押さえ具の斜視図である。
【図８】この発明の第七実施形態の洗濯物押さえ具の斜視図である。
【図９】この発明の第五実施形態〜第七実施形態の洗濯物押さえ具え具の変形例を示す部分拡大斜視図である。
【図１０】この発明の第八実施形態の洗濯物押さえ具の斜視図である。
【図１１】この発明の第九実施形態の洗濯物押さえ具の斜視図である。
【図１２】この発明の第十実施形態の洗濯物押さえ具の斜視図である。
【図１３】この発明の第十実施形態の洗濯物押さえ具の部分拡大斜視図である。
【図１４】この発明の第十実施形態の洗濯物押さえ具の変形例を示す斜視図である。
【図１５】この発明の第十一実施形態の洗濯物押さえ具の斜視図である。
【図１６】この発明の第十二実施形態の洗濯物押さえ具の斜視図である。
【図１７】この発明の第十二実施形態の洗濯物押さえ具の上段物干し部を開いた状態の斜視図である。
【図１８】この発明の第十二実施形態の洗濯物押さえ具を折り畳んだ状態の斜視図である。
【図１９】この発明の第十二実施形態の洗濯物押さえ具の上段物干し部の他の例を示す斜視図である。
【符号の説明】
【００２２】
１０  洗濯物押さえ具
１２  物干しスタンド
２２  物干し棒
２７  チェーン
２８  クリップ
３０  おもり
３２  洗濯物
【発明を実施するための最良の形態】
【００２３】
以下、この発明の実施形態について図面に基づいて説明する。図１〜図２はこの発明の第一実施形態を示すもので、この実施形態の洗濯物押さえ具１０は、例えば物干しスタンド１２に載せて使用する。ここで物干しスタンド１２について説明する。物干しスタンド１２は、コの字形のパイプで作られた一対の脚部１４が設けられ、脚部１４は、中央部分が接地部１４ａとなり、接地部１４ａに対してほぼ直角で互いに平行な部分は立上り部１４ｂである。一対の脚部１４の、立上り部１４ｂ同士が交差して、交差した部分には１本の長い軸部材１６が接地部１４ａに対して平行に挿通され、一対の脚部１４を互いに軸止している。脚部１４の立上り部１４ｂ上端部には、軸部材１６に対して平行な物干し棒用軸部材１８が、２本軸止されている。一対の物干し棒用軸部材１８の間には、物干し棒用軸部材１８に対して平行な物干し棒用保持部材２０が２本設けられている。【００２４】
物干し棒用軸部材１８には、物干し棒用軸部材１８に対してほぼ直角に、複数本の物干し棒２２が互いに平行に設けられている。物干し棒２２の一方の端部２２ａは、物干し棒用軸部材１８近傍の物干し棒用保持部材２０に達して溶接されている。物干し棒用軸部材１８のうち数本、例えば４本は、物干し棒２２の端部２２ａが物干し棒用保持部材２０を通過して他方の物干し棒用軸部材１８に達し、L字形に上方に折り曲げられて係止部２４となっている。物干し棒２２の他方の端部２２ｂは、物干し棒用軸部材１８よりも外側に長く突出し、先端が上方へ折り曲げられて保護用のキャップ２６が取り付けられている。そして、一対の物干し棒用軸部材１８、物干し棒用保持部材２０に各々同数の物干し棒２２が設けられ、互いに係止部２４を他方の物干し棒用保持部材２０の下に差し込むことにより、物干し棒２２が自重により物干し棒用軸部材１８を中心に回転しようとする力に抗して係止される。【００２５】
次に、この実施形態の洗濯物押さえ具１０について説明する。洗濯物押さえ具１０は、物干しスタンド１２の物干し棒２２に載せて使用するものである。洗濯物押さえ具１０は、物干し棒２２に載せられる本体である金属製のチェーン２７が設けられ、チェーン２７の長さは、並べられた複数本の物干し棒２２の直交する方向の、端部から反対の端部までの距離に、ややゆとりを設けた長さに形成されている。チェーン２７の両端部には、端部に位置する物干し棒２２にそれぞれ係止される係止部材であるクリップ２８が設けられている。チェーン２７の途中には、物干し棒２２同士の間に下垂されるおもり３０が、物干し棒２２の間隔で所定の数が設けられている。【００２６】
次に、この実施形態の洗濯物押さえ具１０の使用方法について説明する。先ず、物干しスタンド１２の各物干し棒２２に、タオル等の洗濯物３２を二つ折りにしてかける。そして洗濯物押さえ具１０のチェーン２７を、物干し棒２２にほぼ直角に交差させて洗濯物３２の上から置き、おもり３０が物干し棒２２の間に下垂するように位置を調整し、一対のクリップ２８を両端に位置する物干し棒２２に洗濯物３２ごと挟んで取り付ける。これにより、物干し棒２２に掛けられたチェーン２７が物干し棒２２の間に位置するおもり３０に引っ張られてしっかりと洗濯物３２を押さえ、係止する。一つの物干しスタンド１２に、二つの同形の洗濯物押さえ具１０を用意し、二列の物干し棒２２にそれぞれ洗濯物押さえ具１０を載せる。【００２７】
この実施形態の洗濯物押さえ具１０によれば、簡単な構造で、洗濯物３２を物干し棒２２に確実に係止し、物干し棒２２からの落下を防ぐことができる。屋外に干しても、風により洗濯物３２が飛ばされることがなく、安全で衛生的である。また、洗濯物押さえ具１０は通気性を有しているため、水分の蒸発を妨げることがなく、洗濯物３２を十分に乾燥させることができる。洗濯物押さえ具１０はクリップ２８で確実に物干しスタンド１２に取り付けられるため、風が強い場合でも風にあおられたタオル等により、洗濯物押さえ具１０が跳ね上がる危険がなく、外れる恐れもない。また、物干しスタンド１２への取り付けが簡単で、手軽に使用することができ、また屋内では不要であり簡単に取り外すことができる。物干しスタンド１２を収納するときは、洗濯物押さえ具１０をつけたままでもよく、便利である。【００２８】
なお、この実施形態の洗濯物押さえ具１０は、本体が金属製のチェーン２７以外に天然素材や合成樹脂で作られたチェーンや紐でもよい。【００２９】
次にこの発明の第二実施形態について図３に基づいて説明する。なお、ここで上記実施形態と同様の部材は同様の符号を付して説明を省略する。この実施形態の洗濯物押さえ具３１は、物干し棒２２に載せられるチェーン２７が設けられ、チェーン２７の長さは、並べられた複数本の物干し棒２２の直交する方向の、端部から反対の端部までの距離に、ややゆとりを設けた長さに形成されている。チェーン２７の両端部には、係止部材であるクリップ２８が設けられている。一対のクリップ２８の間には、紐体２９が設けられている。紐体２９の長さは、並べられた複数本の物干し棒２２の直交する方向の、端部から反対の端部までの距離にほぼ等しい。チェーン２７と紐体２９は互いに捻って数箇所が互いに係止され、チェーン２７が紐体２９に複数個所で保持されて波状に下垂して変形する。【００３０】
次に、この実施形態の洗濯物押さえ具３１の使用方法について説明する。まず、物干しスタンド１２の物干し棒２２に洗濯物３２をかけた後、紐体２９を物干し棒２２にほぼ直角に交差させて洗濯物３２の上から置き、一対のクリップ２８を両端に位置する物干し棒２２に洗濯物３２ごと挟んで取り付ける。そして物干し棒２２の間に波状に下垂したチェーン２７が位置して前記洗濯物を前記物干し棒に押圧して係止する。【００３１】
この実施形態の洗濯物押さえ具３１によれば、上記実施形態と同様の効果を有するものである。また、チェーン２７の波形の数は、物干し棒２２の数に合わせて適宜変更することができる。【００３２】
なお、この実施形態の洗濯物押さえ具３１は、紐体２９を太いものにして、チェーン２７を形成するリングに挿通し、チェーン２７が紐体２９に保持される位置を決めてもよい。紐体２９をチェーン２７のリングに軽く係止されるものにすると、紐体２９のチェーン２７が係止される位置も決めることができる。また、紐体２９とチェーン２７を連結する連結部材を設けても良い。連結部材は、チェーン２７または紐体２９に対して摺動可能でも固定されたものでもよい。【００３３】
次にこの発明の第三実施形態について図４に基づいて説明する。なお、ここで上記実施形態と同様の部材は同様の符号を付して説明を省略する。この実施形態の洗濯物押さえ具３３の本体は、通気性を有する長細い袋体３４であり、袋体３４は合成繊維で作られた網状の生地を縫い合わせて設けられている。袋体３４は、長手方向に沿って中心に棒部材３６が貫通して設けられ、棒部材３６の両方の端部３６ａは、袋体３４の長手方向の端部３４ａから外側に突出している。棒部材３６の途中には、３枚の区切り板３８が中心を棒部材３６に貫通されて取り付けられ、区切り板３８により袋体３４内部の空間は４個の空間に区切られている。袋体３４の内側には、粒状充填材４０が入れられている。粒状充填材４０は、区切り板３８により区切られた空間を移動することがなく、各空間にほぼ均等な量が入れられている。粒状充填材４０は、袋体３４内部にゆとりを有する量が充填され、袋体３４の形状が容易に変化する。粒状充填材４０は、例えば所定長さに切断されたパイプ部材であり、合成樹脂等で作られ軽量で通気性が良好である。【００３４】
この実施形態の洗濯物押さえ具３３の使用方法について説明する。まず、物干しスタンド１２の物干し棒２２に洗濯物３２をかけた後、洗濯物押さえ具３３の袋体３４を物干し棒２２にほぼ直角に交差させて洗濯物３２の上から置く。これにより、粒状充填材４０が袋体３４にゆとりを有して入れられているため物干し棒２２同士の間に垂れ下がって洗濯物３２をおさえ、係止する。【００３５】
この実施形態の洗濯物押さえ具３３によれば、上記実施形態と同様の効果を有するものである。また、袋体３４は網状の生地で作られ、粒状充填材４０はパイプで作られているため、通気性が良好で、洗濯物３２の乾燥を妨げることがない。棒部材３６の端部３６ａを保持して物干し棒２２に載せるだけなので、簡単である。区切り板３８が設けられているため、粒状充填材４０が偏ることを防いでいる。【００３６】
なお、この実施形態の洗濯物押さえ具３３は、袋体３４の内部空間を区切るために、区切り板３８以外に、袋体３４と同じ生地等で設けられた仕切り片を設けて縫い付けても良い。また、内径が同じ円筒形の袋体をあらかじめ作り、互いに連続して一方向に長く形成してもよい。なお、粒状充填材４０はパイプ以外に、柱状部材、または球状、楕円球状等適宜の部材を利用することができ、細かくて吸湿性がなく通気性を有するものであれば何でもよい。【００３７】
次にこの発明の第四実施形態について図５に基づいて説明する。なお、ここで上記実施形態と同様の部材は同様の符号を付して説明を省略する。この実施形態の洗濯物押さえ具４２の本体は、通気性を有する細長い袋体４４であり、袋体４４は合成繊維で作られた網状の生地を縫い合わせて設けられている。袋体４４の内側には、繊維製充填材４６が入れられている。繊維製充填材４６は、例えばナイロン製の繊維やその他通気性のある材料が適宜詰め込まれたものであり、適度な柔軟性と弾性を有し、繊維同士の間に十分な空間が形成され通気性が確保されている。【００３８】
袋体４４の外側面には、長手方向に沿って１本の紐体４８が取り付けられている。紐体４８は、例えば帯状のゴム紐であり、袋体４４の長手方向の両端部４４ａと、袋体４４の中間付近に係止されている。袋体４４の中間付近には紐体４８用の連結部材５０が設けられ、連結部材５０を結んで紐体４８を係止している。紐体４８の両方の端部４８ａは、袋体４４の外側に突出し、クリップ５２が取り付けられている。紐体４８の長さは、クリップ５２を両端に位置する物干し棒２２に取り付けたときに、少し引き伸ばされる程度に設定する。【００３９】
この実施形態の洗濯物押さえ具４２の使用方法について説明する。まず、物干しスタンド１２の物干し棒２２に洗濯物３２をかけた後、洗濯物押さえ具４２の袋体４４を、物干し棒２２にほぼ直角に交差させて洗濯物３２の上から置く。そして一対のクリップ５２を、両端に位置する物干し棒２２に洗濯物３２ごと挟んで取り付ける。このとき紐体４８は、袋体４４の、物干し棒２２と反対側の側面を通過させる。これにより、伸縮性を有する紐体４８が袋体４４を圧迫して洗濯物３２に押し付け、物干し棒２２に係止する。【００４０】
この実施形態の洗濯物押さえ具４２によれば、上記実施形態と同様の効果を有するものである。また、袋体４４は網状の生地で作られ、繊維製充填材４６は通気性が良好であるため、洗濯物３２の乾燥を妨げることがない。また、繊維製充填材４６は安価であり、また軽量なため取り扱いが容易であり、洗濯も可能で衛生的である。【００４１】
なお、この実施形態の洗濯物押さえ具４２は、紐体４８の材料がゴム紐以外に伸縮性を持たない紐や、チェーンでもよい。また、物干しスタンド１２に袋体４４を押さえるバー部材を移動可能に取り付け、バーにより袋体４４を洗濯物３２に押し付けて係止してもよい。この場合、紐体４８やクリップ５２は不要となる。【００４２】
次にこの発明の第五実施形態について図６に基づいて説明する。なお、ここで上記実施形態と同様の部材は同様の符号を付して説明を省略する。この実施形態の洗濯物押さえ具５４の本体は、ポリウレタンフォーム製等のスポンジ体５６であり、スポンジ体５６は一方向に長い矩形に形成されている。スポンジ体５６の長手方向に沿う一方の側面５６ａには、硬い繊維で作られた不織布部５８が設けられている。不織布部５８は、例えばナイロン繊維で形成されている。【００４３】
不織布部５８には、不織布部５８の長手方向に沿う中心線付近から、スポンジ体５６の側面５６ａに対して直角に位置する側面５６ｂに達する切り込みであるスリット６０が設けられている。スリット６０は、一定の幅の隙間を有し、複数本がスポンジ体５６の長手方向に沿って等間隔に設けられている。一対のスリット６０の間隔は、物干しスタンド１２の一対の物干し棒２２の間隔にほぼ等しい。【００４４】
スポンジ体５６には、不織布部５８のスリット６０に連通した切り込みである切込線６２が設けられている。切込線６２は、一対の切断面の間に空間がないものであり、側面５６ａに対して直角に位置する側面５６に貫通し、側面５６ｂにも貫通している。【００４５】
この実施形態の洗濯物押さえ具５４の使用方法について説明する。まず、物干しスタンド１２の物干し棒２２に洗濯物３２をかけた後、洗濯物押さえ具５４の長手方向を物干し棒２２にほぼ直角に交差させて、スポンジ体５６の側面５６ｂが物干し棒２２に対向するように保持する。このとき、不織布部５８が垂直となり、不織布部５８のスリット６０が物干し棒２２に対して開口する。そして、洗濯物押さえ具５４を物干しスタンド１２の物干し棒２２に押し付けて、物干し棒２２をスリット６０に差し込む。これにより、スリット６０の内側に差し込まれた物干し棒２２がスポンジ体５６の切込線６２に洗濯物３２ごと挟まれて、洗濯物３２を押さえ、係止する。【００４６】
この実施形態の洗濯物押さえ具５４によれば、上記実施形態と同様の効果を有するものである。また、スポンジ体５６は洗濯物３２の厚みに合わせて変形するため、いろいろな種類の洗濯物３２に対応して適度な反発力で確実に押さえることができる。スポンジ体５６は適度に水分を吸収し発散するため、洗濯物３２の乾燥を妨げることがない。また洗濯物押さえ具５４は洗濯が可能であり、衛生的である。スポンジ体５６には硬い不織布部５８が設けられているため、物干し棒２２に押し付けるときにはスポンジ体５６の変形を防ぎ容易に保持して力が均等にかかる。また不織布部５８のスリット６０は、一定の幅の隙間を有するため物干し棒２２が差し込み易く、取り付けが容易である。スポンジ体５６の切込線６２は隙間が設けられていないため、洗濯物３２に密着し確実に押さえることができる。スポンジ体５６の切込線６２は、不織布部５８のスリット６０に連通して設けられているため、切込線６２にも物干し棒２２を容易に差し込むことができる。洗濯物押さえ具５４が不要なときは上方に引き上げるだけで簡単に外すことができる。【００４７】
次にこの発明の第六実施形態について図７に基づいて説明する。この実施形態の洗濯物押さえ具６４の本体はスポンジ体５６であり、スポンジ体５６の長手方向に沿う一方の側面５６ａには、硬い繊維で作られた不織布部５８が設けられている。不織布部５８には、スポンジ体５６の側面５６ａに対して直角に位置する側面５６ｂに達するスリット６０が設けられている。スポンジ体５６には、不織布部５８のスリット６０に連通して切込線６２が設けられている。切込線６２は、側面５６ａに対して直角に位置する側面５６に貫通し、側面５６ｂにも貫通している。【００４８】
スポンジ体５６の、側面５６ｂと側面５６ｃで形成される角部は、スポンジ体５６の長手方向に沿う平坦な斜面６６で切り欠かれている。斜面６６は、側面５６ｂの不織布部５８との境界付近から、側面５６ｃの途中まで達し、スポンジ体５６の長手方向に沿ってほぼ一定幅で設けられている。斜面６６にも切込線６２は貫通している。【００４９】
この実施形態の洗濯物押さえ具６４の使用方法は、上記第五実施形態と同様であり、同様の効果を有するものである。そしてスポンジ体５６の物干し棒２２に差し込む側面５６ｂが斜面６６で切り欠かれているため、物干し棒２２に差し込むときに抵抗が少なく、弱い力でも容易にセットすることができる。物干し棒２２の切込線６２への差し込み深さが大きくなるほどスポンジ体５６の幅が広がり、洗濯物３２と切込線６２の切断面との接触面積が広くなり、確実に保持することができる。【００５０】
次にこの発明の第七実施形態について図８に基づいて説明する。この実施形態の洗濯物押さえ具６８の本体はスポンジ体５６であり、スポンジ体５６の側面５６ａには、硬い繊維で作られた不織布部５８が設けられている。不織布部５８には、スポンジ体５６の側面５６ａに対して直角に位置する側面５６ｂに達するスリット６０が設けられている。スポンジ体５６には、不織布部５８のスリット６０に連通して切込線６２が設けられている。切込線６２は、側面５６ａに対して直角に位置する側面５６に貫通し、側面５６ｂにも貫通している。【００５１】
スポンジ体５６の、側面５６ｂに対して平行な側面５６ｄには、硬い保持部材７０が取り付けられている。保持部材７０は、金網で作られた板体やトレー体、また複数の棒部材をわたして板状に組み立てたもの等、自由に選択可能である。【００５２】
この実施形態の洗濯物押さえ具６８の使用方法は、上記第五実施形態と同様であり、同様の効果を有するものである。そして、洗濯物押さえ具６８を物干しスタンド１２の物干し棒２２にセットするとき、洗濯物押さえ具６８の上面である側面５６ｄに保持部材７０が取り付けられているため、上方から手で押してもスポンジ体５６が変形することがなく、力が入れやすく容易にセットすることができる。【００５３】
なお、上記実施形態のうち洗濯物押さえ具５４，６４，６８は、スポンジ体５６の切込線６２が、図９に示すように一対の切込線７２が互いに平行に設けられたものでも良い。一対の切込線７２は、不織布部５８のスリット６０の両側縁部の切断面にほぼ一致している。切込線７２の内側に切り残された切り残し部７４は、押さえ片７４となる。次に、使用方法について説明する。まず物干しスタンド１２の物干し棒２２が不織布部５８のスリット６０に差し込まれると、押さえ片７４が弾性変形して洗濯物３２を圧迫する。これにより、確実に洗濯物３２を物干し棒２２に係止することができる。【００５４】
また、スポンジ体５６の切込線６２が、不織布部５８のスリット６０と同じ形状にして一定幅の隙間を有するものでもよい。この場合、スポンジ体５６と不織布部５８を貫通してスリット６０を形成するため、製造が容易である。また、物干しスタンド１２の物干し棒２２を差し込む際に抵抗がなく、容易にセットすることができる。また、スポンジ体５６の切込線６２が側面５６ａに達して設けても良い。この場合の使用方法は、まず不織布部５８を垂直に保持してスリット６０に物干し棒２２を差し込んだ後、スポンジ体５６を回転させて不織布部５８が上面となるようにし、スポンジ体５６の切込線６２に物干し棒２２を差し込んでもよい。【００５５】
次にこの発明の第八実施形態について図１０に基づいて説明する。なお、ここで上記実施形態と同様の部材は同様の符号を付して説明を省略する。この実施形態の洗濯物押さえ具６９の本体はスポンジ体５６であり、スポンジ体５６は、矩形の小形のスポンジブロック５７が一方向に接合されて設けられている。スポンジブロック５７の連接方向の長さは、物干し棒２２の間隔とほぼ等しい。隣接するスポンジブロック５７の接触面５７ａは、約半分が、接着剤等により互いに接合された接合部５９である。接合方法は、この他でもよい。接触面５７ａの残りの半分は、接合されず互いに接触しているのみであり、物干し棒が差し込まれる切込線６２となる。各スポンジブロック５７の各接触面５７ａは、同じ方向に、ここでは側面５６ｃに切込線６２が設けられている。【００５６】
この実施形態の洗濯物押さえ具６９の使用方法は、上記第五実施形態と同様であり、同様の効果を有するものである。そして、洗濯物押さえ具６９は同形のスポンジブロック５７を接合して形成するため、切込線６２の形成が容易であり、間隔を正確に設けることができる。なお、このスポンジブロック５７にも、比較的剛性の高い不織布部があってもよい。【００５７】
次にこの発明の第九実施形態について図１１に基づいて説明する。なお、ここで上記実施形態と同様の部材は同様の符号を付して説明を省略する。この実施形態の洗濯物押さえ具７１の本体はスポンジ体５６であり、スポンジ体５６は、矩形の小形のスポンジブロック５７が一方向に接合されて設けられている。隣接するスポンジブロック５７の接触面５７ａは、約半分積が互いに接合される接合部５９であり、接合部５９の中心には、接合手段である棒部材７３が連接方向に貫通して設けられている。棒部材７３の両端部には、抜け落ち防止部材が設けられても良い。例えばゴム板をスポンジブロック５７の外側面に当てて、棒部材７３をゴム板に固定してもよい。接合部５９の周囲には帯状のネット生地７５が一周して設けられ、各スポンジブロック５７を一体に保持している。【００５８】
この実施形態の洗濯物押さえ具７１の使用方法は、上記第五実施形態と同様であり、同様の効果を有するものである。そしてスポンジブロック５７の連結方法は、棒部材７３とネット生地７５を取り付けるだけなので、製造が簡単で安価である。【００５９】
次にこの発明の第十実施形態について図１２に基づいて説明する。なお、ここで上記実施形態と同様の部材は同様の符号を付して説明を省略する。この実施形態の洗濯物押さえ具７６の本体は、柔軟な合成樹脂で作られた通気性シートや布地等の生地や網７８であり、一方向に長い矩形にカットされている。網７８は、例えば塩化ビニール樹脂で作られた市販の滑り止めシートでもよい。【００６０】
網７８には、網７８の両側の側縁部７８ａに沿ってそれぞれ切断線８０が設けられている。切断線８０は、側縁部７８ａに対してほぼ直角に形成され、複数本が互いに平行に、そして網７８の長手方向に沿って等間隔に設けられている。切断線８０の間隔の長さは物干しスタンド１２の物干し棒２２の間隔とほぼ等しいものである。切断線８０の位置は、図１３に示すように網７８の、切断線８０と平行な網目８１を避けて直交する網目８１のみを切断する位置とする。網７８の一対の切断線８０で囲まれた部分はタレ部８６となり、各タレ部８６の側縁部７８ａには、おもり８８が各１個取り付けられている。【００６１】
網７８の長手方向の端部７８ｂには、一対の紐体８２が設けられている。紐体８２は、両側の側縁部７８ａから所定長さ離れた位置にそれぞれ設けられ、一対の紐体８２の端部８２ａは硬質の棒状の持ち手８４の両端部に連結されている。持ち手８４は、網７８の端部７８ｂに対して平行で、一対の紐体８２の間隔とほぼ等しい長さに形成され、持ち手８４の長手方向の両端部に、紐体８２の端部８２ａがそれぞれ連結されている。【００６２】
なお、洗濯物押さえ具７６は紐体８２が無くてもよく、図１４に示すように持ち手８４が直接網７８の端部７８ｂに取り付けられていてもよい。また、左右に設けられた紐体８２は、一本の長い紐を網７８に沿って取り付け、その両端部を網７８の端部７８ｂから突出させたものでもよい。【００６３】
この実施形態の洗濯物押さえ具７６の使用方法について説明する。まず、物干しスタンド１２の物干し棒２２に洗濯物３２をかけた後、洗濯物押さえ具７６を両側の持ち手８４を左右に開いて網７８を広げて保持し、網７８の中央部分は紐体８２の左右の取り付け位置を角部とする矩形に広げられ、紐体８２の外側のタレ部８６は下垂させる。そして物干し棒２２に網７８の長手方向を交差させて下ろし、物干し棒２２を網７８の切断線８０差し込む。そしてタレ部８６は一対の物干し棒２２の間に下垂され、おもり８８によって安定する。網７８の、切断線８０で切断された網目８１の切断面が洗濯物３２に当接して両側から挟み、洗濯物３２を押さえ係止する。【００６４】
この実施形態の洗濯物押さえ具７６によれば、上記実施形態と同様の効果を有するものである。洗濯物押さえ具７６の切断線８０に物干し棒２２を差し込むだけなので、弱い力で容易にセットすることができる。また、洗濯物押さえ具７６は網７８で作られているため、使用しないときは畳んだり巻いたりして、コンパクトに収納することができる。【００６５】
次にこの発明の第十一実施形態について図１５に基づいて説明する。この実施形態の洗濯物押さえ具９０の本体は、一方向に長い板部材であるトレー部材９２である。トレー部材９２は、金属製の網等で作られ通気性を有するものである。一方向に長い矩形の上面９２ａが設けられ、長手方向の側縁部に一対の側面９２ｂが、長手方向に直交する側縁部に一対の側面９２ｃが設けられている。上面９２ａの中央には、上方に突出する持ち手９４が取り付けられている。【００６６】
トレー部材９２の上面９２ａの側方には、柔軟な合成樹脂で作られた網７８が取り付けられ、側面９２ｂに垂れ下がっている。網７８は、側面９２ｂより幅広の帯状に形成され、一方の側縁部７８ａは側面９２ｂよりも下方に側面９２ｂに対してほぼ平行に位置し、側縁部７８ａに対して平行な他方の側縁部７８ｃは、トレー部材９２の上面９２ａの縁部付近に達して取り付けられている。網７８には、下端部に位置する側縁部７８ａに対してほぼ直角に切断線８０が設けられている。切断線８０は、複数本が互いに平行に、そして網７８の長手方向に沿って等間隔に設けられ、間隔の長さは物干しスタンド１２の物干し棒２２の間隔とほぼ等しいものである。切断線８０の位置は、網７８の切断線８０と平行な網目８１を避けて直交する網目８１のみを切断する位置とする。網７８の一対の切断線８０で囲まれた部分はタレ部８６となり、各タレ部８６の側縁部７８ａには、おもり８８が各１個取り付けられている。【００６７】
なお洗濯物押さえ具７６は、網７８とトレー部材９２の取り付け方法は、接着や溶着、紐等の連結部材による方法など、自由に設定可能である。トレー部材９２の形状も変更可能であり、一対の側面９２ｂを横板で形成し、横板の間を棒部材で連結したものでもよい。【００６８】
この実施形態の洗濯物押さえ具９０の使用方法について説明する。まず、物干しスタンド１２の物干し棒２２に洗濯物３２をかけた後、洗濯物押さえ具９０の持ち手９４を保持して物干し棒２２にトレー部材９２の長手方向を交差させる。そして、網７８の切断線８０を物干し棒２２に対向させて洗濯物押さえ具９０を置く。そしてタレ部８６が一対の物干し棒２２の間に下垂され、おもり８８によって安定する。これにより、切断線８０で切断された網目８１の断面が洗濯物３２にと右折して両側から挟み、洗濯物３２を押さえ係止する。【００６９】
この実施形態の洗濯物押さえ具９０によれば、上記実施形態と同様の効果を有するものである。トレー部材９２の形状は固定されているため、物干しスタンド１２への取り付けや取り外しの操作が容易であり、切断線８０の位置決めも簡単で物干し棒２２に簡単に差し込むことができる。【００７０】
次にこの発明の第十二実施形態について図１６に基づいて説明する。この実施形態の洗濯物押さえ具９６は、物干しスタンド９８に取り付けて使用する。物干しスタンド９８は、4本の垂直な脚部１００が設けられ、脚部１００の上部には、上段物干し部１０２と後述する下段物干し部１２０が設けられている。【００７１】
上段物干し部１０２には長方形の枠部１０４が設けられ、枠部１０４の角部には４本の脚部１００が当接されている。枠部１０４の内側には、物干し棒１０６がわたされて設けられている。物干し棒１０６は、枠部１０４の長手方向に対してほぼ直角に、複数本が等間隔で設けられている。枠部１０４の内側には、物干し棒１０６に交差する保持棒１０８が設けられている。保持棒１０８は、枠部１０４の長辺１０４ａの一方に近い位置に寄って設けられている。【００７２】
枠部１０４の下面には、保持棒１０８と、保持棒１０８に近いほうの長辺１０４ａで囲まれた部分に、洗濯物押さえ具９６が設けられている。洗濯物押さえ具９６の本体は、ポリウレタンフォーム製等のスポンジ体１１０であり、スポンジ体１１０は、枠部１０４の長手方向の長さとほぼ同じ長さを長手方向とする矩形に形成されている。スポンジ体１１０の上段物干し部１０２と反対側に位置する側面１１０ａには、スリット１１２が設けられている。スリット１１２は、一定幅の隙間を有し、複数本がスポンジ体１１０の長手方向に沿って等間隔に設けられている。一対のスリット１１２の間隔は、後述する下段物干し部１２０の物干し棒１２４の間隔にほぼ等しい。スポンジ対１１２の一側面には固い不織布層が設けられていても良い。【００７３】
スポンジ体１１０の側面１１０ａと反対側、つまり上段物干し部１０２に対向する側面１１０ｂの、長辺１０４ａ側の側縁部には、リング状の取付具１１４が設けられている。スポンジ体１１０は、取付具１１４を介して枠部１０４と保持棒１０８に吊下げられている。スポンジ体１１０のその他の部分には図示しない着脱可能の係止部が設けられ、物干し棒１０６や保持棒１０８に、スポンジ体１１０を吊下げている。これにより、洗濯物押さえ具９６を使用しないときは、図示しない係止部を保持棒１０８から外し、取付具１１４を中心に枠部１０４の回りを上方へ回転させてスポンジ体１１０を移動し、上段物干し部１０２に載せて収容する。スポンジ体１１０は、長手方向の中間付近で、枠部１０４の長辺１０４ａの後述する切断部分１０４ｃに一致する部分で切断された切断部１１０ｃが設けられている。【００７４】
枠部１０４の、スポンジ体１１０以外の部分に、第一実施形態の洗濯物押さえ具１０が取り付けられている。洗濯物押さえ具１０は、金属製のチェーン２７の両端部にクリップ２８が設けられている。チェーン２７の途中には、物干し棒１０６同士の間に下垂されるおもり３０が設けられている。なお、洗濯物押さえ具１０以外に、上記各実施形態の洗濯物押さえ具を使用することもできる。【００７５】
枠部１０４は、長辺１０４ａの中心で切断された切断部分１０４ｃが設けられ、切断部分１０４ｃはジョイント部材１１６で回転可能に連結されている。これにより枠部１０４は切断部分１０４ｃが上方へ凸となる山形に折り曲げ可能である。枠部１０４の、洗濯物押さえ具９６と反対側の一対の角部にも、脚部１００との接続部分にジョイント部材１１８が設けられている。枠部１０４を山形に折り曲げるとき、脚部１００と枠部１０４との角度がジョイント部材１１８により回転し、支障なく円滑に折り曲げることができる。ジョイント部材１１８は、さらに枠部１０４の短辺１０４ｂの、洗濯物押さえ具９６側が上方へ傾斜可能な構造とする。枠一方部１０４の、洗濯物押さえ具９６側の角部は、脚部１００にジョイント部材等で連結されず、脚部１００に載せられているだけである。【００７６】
上段物干し部１０２の、所定間隔離れた下方には、上段物干し部１０２とほぼ同じ形状でほぼ同じ大きさの下段物干し部１２０が設けられている。上段物干し部１０２と下段物干し部１２０の間隔は、洗濯物押さえ具９６のスポンジ体１１０の高さからスリット１１２の高さを引いたものとほぼ同じに設定されている。下段物干し部１２０は、長方形の枠部１２２が設けられ、枠部１２２の角部には４本の脚部１００に保持されている。枠部１２２の内側には、物干し棒１２４がわたされて設けられている。物干し棒１２４は、枠部１２２の長手方向に対してほぼ直角に、複数本が等間隔に設けられている。物干し棒１２４は、上段物干し部１０２の物干し棒１０６と間隔は同じであり、半ピッチずらして上下に重ならないように設けられている。物干し棒１２４の、洗濯物押さえ具９６がからない部分には、洗濯物３２を位置決めする突起１２５が設けられている。【００７７】
枠部１２２は、枠部１０４と同様に、長辺１２２ａの中心で切断された切断部分１２２ｃが設けられ、切断部分１２２ｃはジョイント部材１２３で回転可能に連結されている。これにより、枠部１２２は切断部分１２２ｃが上方へ凸となる山形に折り曲げ可能である。【００７８】
脚部１００には、上段物干し部１０２と下段物干し部１２０の間に、ほぼ垂直方向に溝部１２６が設けられ、溝部１２６の中には、溝部１２６に沿って上下に摺動可能な摺動部材１２８が設けられている。下段物干し部１２０の枠部１２２の角部は摺動部材１２８に取り付けられ、摺動部材１２８の動きに伴って上方に移動可能である。枠部１２２の角部と摺動部材１２８の間には図示しないジョイント部材が設けられ、枠部１２２を山形に折り曲げるとき、脚部１００と枠部１２２との角度が回転し、支障なく円滑に折り曲げることができる。【００７９】
隣接する脚部１００同士の間には、上段物干し部１０２と下段物干し部１２０の短辺に平行な棒状連結部１３０が設けられている。連結部１３０は、脚部１００の中間付近に、ほぼ水平に取り付けられている。また、隣接する脚部１００同士の間には、上段物干し部１０２と下段物干し部１２０の長辺に平行な格子状連結部１３２が設けられている。格子状連結部１３２は、複数の細い棒体が傾斜する格子状に組み合わされ、棒体同士の交差部分は回転可能に軸止されている。格子状連結部１３２の水平方向の両端部は、各々３本の棒体で脚部１００に連結されている。上に位置する棒体は、脚部１００の溝部１２６に摺動可能に設けられた摺動部材１２８に取り付けられ、上方に移動可能である。なお、摺動部材１２８には下段物干し部１２０が取り付けられ、格子状連結部１３２と下段物干し部１２０は同時に移動する。中間に位置する棒体は脚部１００の高さの中間付近に軸止されている。下に位置する棒体は、脚部１００に設けられた溝部１３４に摺動可能に設けられた摺動部材１３６に取り付けられ、下方に移動可能である。格子状連結部１３２は、棒体の角度を変えて水平方向に縮めることができる。また、脚部１００の下端部には各々キャスタ１３８が設けられている。【００８０】
次に、この実施形態の洗濯物押さえ具９６の使用方法について説明する。まず、物干しスタンド９８の物干し棒１０６，１２４にタオル等の洗濯物３２を二つ折りにしてかける。下段物干し部１２０の物干し棒１２４にかけるときは、図１７に示すように、上段物干し部１０２を、ジョイント部材１１８により、洗濯物押さえ具９６側が上方へ移動するように上げ、下段物干し部１２０を開放して行う。下段物干し部１２０に洗濯物３２をかけた後は、上段物干し部１０２を水平に戻す。すると、洗濯物押さえ具９６が下段物干し部１２０に押し付けられ、スリット１１２に物干し棒１２４が差し込まれる。これにより、物干し棒１２４にかけられた洗濯物３２はスリット１１２にはさまれて係止される。このとき、洗濯物３２を物干し棒１２４の突起１２５よりも中心側に干すことにより、確実に洗濯物押さえ具９６で押えることができる。次に、上段物干し部１０２の物干し棒１０６に洗濯物３２をかける。そして、洗濯物押さえ具１０のチェーン２７を、物干し棒１０６にほぼ直角に交差させて洗濯物３２の上から置き、おもり３０が物干し棒１０６の間に下垂するように位置を調整し、一対のクリップ２８を枠部１０４の短辺１０４ｂに洗濯物３２ごと挟んで取り付ける。【００８１】
また、洗濯物押さえ具９６と物干しスタンド９８を使用しないときは、図１８に示すように、洗濯物押さえ具９６を反転させて上段物干し部１０２の上に載せ、下段物干し部１２０を上方に移動させ、上段物干し部１０２と重ねる。上段物干し部１０２と下段物干し部１２０を、枠部１０４，１２２の切断部分１０４ｃ，１２２ｃで山形に折り曲げて、コンパクトにたたむ事ができる。脚部１００にはキャスタ１３８が設けられ、脚部１００同士を寄せるときキャスタ１３８が転がり円滑に移動する。洗濯物押さえ具１０は一方のクリップ２８を外して他方のクリップ２８の近傍に止めて、片側にまとめる。【００８２】
この実施形態の洗濯物押さえ具９６によれば、上記実施形態と同様の効果を有するものである。そして、上段物干し部１０２の物干し棒１０６と、下段物干し部１２０の物干し棒１２４が、上下に且つ左右に互い違いになるため洗濯物３２の乾きが早い。上段物干し部１０２と下段物干し部１２０を二つ折りにしてキャスタ１３８で移動可能であり、使用しないときコンパクトに収納することができる。下段物干し部１２０の物干し棒１２４には突起１２５が設けられ、洗濯物３２が突起１２５よりも端に寄ることを防ぎ、確実に洗濯物押さえ具９６で押えることができる。【００８３】
なお、物干しスタンド９８に、洗濯物押さえ具９６以外に、第三実施形態の洗濯物押さえ具３３や第五実施形態等の洗濯物押さえ具５４、第十一実施形態の洗濯物押さえ具９０等を取り付けて使用してもよい。【００８４】
また、この実施形態の洗濯物押さえ具は、図１５に示す第十一実施形態の洗濯物押さえ具９０を取り付けても良い。この洗濯物押さえ具９０は、上述のように、一方向に長い通気性を有するトレー部材９２である。トレー部材９２は、金属製の網等で作られ、上面９２ａの中央には、上方に突出する持ち手１４０が取り付けられている。取っ手１４０は、洗濯物押さえ具９０の側面からほぼ直角に立ち上り、直角に曲げられて側面に対して平行に延出するＬ字形の第一部材１４２と第二部材１４４により、コの字形に形成されている。第一部材１４２と第二部材１４４は、水平な部分が互いに向かって突出して重ね合わされている。第一部材１４２の重なり部分の先端付近には、第二部材１４４へ突出するピン１４６が設けられている。第二部材１４４の重なり部分には、ピン１４６が挿通される溝部１４８が水平方向に設けられている。溝部１４８の幅はピン１４６が摺動可能な僅かなゆとりを有するものであり、溝部１４８の両端部は、ピン１４６が係止されるように幅がより広く形成されている。【００８５】
取っ手１４０のコの字形の内側の幅は、例えば物干し棒１０６の３本が嵌合されるものである。ピン１４６が、溝部１４８の、第二部材１４４の先端と反対側の端部に係止されているとき、取っ手１４０はコの字形となり物干し棒１０６にゆるみがない状態で確実に取り付けられる。そして、ピン１４６が、溝部１４８の、第二部材１４４の先端側の端部に係止されているとき、取っ手１４０は二点鎖線で示すように上方へ山形に突出し、内側の幅が広がり、物干し棒１０６にゆとりを持って吊下げられる。【００８６】
取っ手１４０が山形に突出してゆとりを有する状態では、洗濯物押さえ具９０の切断線８０が垂直下方に向き、容易に物干し棒１２４に嵌合することができる。また、上に開けた上段物干し部１０２を水平に戻す際に、上段物干し部１０２が水平になる前に洗濯物押さえ具９０の下側面が重力で水平となり、下段物干し部１２０の物干し棒１２４に取り付けが容易となる。また、物干しスタンド９８を収納するときに、洗濯物押さえ具９６を上段物干し部１０２の枠部１０４の外に反転させて引き出し、下段物干し部１２０を上段物干し部１０２に重ねる際の支障とならず、円滑に収容することができる。【００８７】
なお、この発明の洗濯物押さえ具は、上記各実施形態に限定されるものではなく、各部材の形状や素材等、自由に変更可能であり、第十二実施形態の物干しスタンドの上段の洗濯物押さえ具は、上記の各種洗濯物押さえ具を利用できるものである。る。
【図１】
2007125905.tif 000003
【図２】
2007125905.tif 000004
【図３】
2007125905.tif 000005
【図４】
2007125905.tif 000006
【図５】
2007125905.tif 000007
【図６】
2007125905.tif 000008
【図７】
2007125905.tif 000009
【図８】
2007125905.tif 000010
【図９】
2007125905.tif 000011
【図１０】
2007125905.tif 000012
【図１１】
2007125905.tif 000013
【図１２】
2007125905.tif 000014
【図１３】
2007125905.tif 000015
【図１４】
2007125905.tif 000016
【図１５】
2007125905.tif 000017
【図１６】
2007125905.tif 000018
【図１７】
2007125905.tif 000019
【図１８】
2007125905.tif 000020
【図１９】
2007125905.tif 000021
【手続補正書】
【提出日】平成19年6月20日(2007.6.20)
【手続補正１】
【補正対象書類名】特許請求の範囲
【補正対象項目名】全文
【補正方法】変更
【補正の内容】
【書類名】特許請求の範囲    【請求項１】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置される紐体またはチェーンで作られ、前記本体の所定位置には、前記一対の物干し棒の間に下垂するおもりが設けられ、前記本体には前記物干し棒に係止される係止部材が設けられていることを特徴とする洗濯物押さえ具。    【請求項２】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置されるチェーンで作られ、前記本体には前記物干し棒に係止される係止部材が設けられ、前記係止部材には前記チェーンよりも短い紐体が連結され、前記チェーンが前記紐体に複数個所で保持されて波状に下垂して変形し、前記物干し棒の間に前記チェーンが位置して、前記洗濯物を前記物干し棒に押圧して係止することを特徴とする洗濯物押さえ具。    【請求項３】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置される形状に形成され、且つ前記本体は、外側面を形成し通気性を有する袋体と、前記袋体の内側空間を貫通する棒部材と、前記袋体の内側空間を区切る区切り板と、前記一対の区切り板の間に入れられた粒状充填材が設けられていることを特徴とする洗濯物押さえ具。    【請求項４】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置される形状に形成され、且つ前記本体は、外側面を形成し通気性を有する袋体と、前記袋体に入れられる柔軟な充填材と、前記袋体の外側面に取り付けられた紐体が設けられ、前記紐体には前記物干し棒に係止される係止部材が設けられていることを特徴とする洗濯物押さえ具。    【請求項５】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置される弾性体と、前記弾性体の側面に形成され前記物干し棒が差し込まれる切り込みが設けられ、前記切り込みは前記弾性体の長手方向に対して交差して設けられていることを特徴とする洗濯物押さえ具。    【請求項６】前記弾性体は通気性発泡体により四角柱形に形成され、前記通気性発泡体の長手方向に沿う一方の側面に、前記切り込みを形成する切込線が設けられ、前記切込線が形成された側面の長手方向に沿って、前記切込線が貫通した一方の側面に、前記弾性体よりも硬い保持層が設けられ、前記保持層には前記切込線に対応した対置に、所定幅の空間があけられたスリットが形成されていることを特徴とする請求項５記載の洗濯物押さえ具。    【請求項７】前記弾性体の、前記切込線が形成され���側面の角部は、斜面状に切り欠かれていることを特徴とする請求項５又は６記載の洗濯物押さえ具。    【請求項８】前記弾性体の前記切込線は、前記保持層の前記スリットの一対の側縁部と一致する部分に２本形成され、前記２本の切込線の間の切り残し部分は、前記物干し棒を弾性的に上方から押さえる押さえ片となることを特徴とする請求項５又は６記載の洗濯物押さえ具。    【請求項９】前記弾性体は、複数個の矩形のブロック体が一列に接合されて設けられ、前記一対のブロック体の接触面は、一部が接合され、その他の部分は接合されずに前記切込線となることを特徴とする請求項５記載の洗濯物押さえ具。    【請求項１０】前記弾性体は、複数個の矩形のブロック体が一列に並べられ、前記複数のブロック体には、それらを貫通して保持した棒部材と、前記複数のブロック体が並べられた側面の一部を一周して固定され前記ブロック体を保持した保持部材が設けられ、前記複数のブロック体が互いに接した部分であって前記保持部材から出ている部分が前記切り込みとなることを特徴とする請求項５記載の洗濯物押さえ具。    【請求項１１】前記弾性体には、前記保持層に対して略直角に位置し前記切込線と反対の側面に、通気性を有する補強材が取り付けられていることを特徴とする請求項６記載の洗濯物押さえ具。    【請求項１２】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置可能であって通気性のある生地をカットしたものであり、前記生地の一対の側縁部にはその側縁に対して交差する切断線が形成され、前記生地の両端部には前記側縁部の切断線間の幅に形成された硬質の持ち手が設けられ、前記切断線の切断端面が前記物干し棒にかけられた洗濯物を両側から挟持することを特徴とする洗濯物押さえ具。    【請求項１３】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置可能な形状に網をカットしたものであり、前記網の一対の側縁部にはその側縁に対して交差する切断線が形成され、前記網の両端部には前記側縁部の切断線間の幅に形成された硬質の持ち手が設けられ、前記切断線は、前記網を形成する網目を横断する位置に設けられ、切断された網目の切断面が前記物干し棒にかけられた洗濯物を両側から押圧して挟持することを特徴とする洗濯物押さえ具。    【請求項１４】物干し棒に載置される本体が設けられ、前記物干し棒にかけられた洗濯物を前記本体により、前記物干し棒に押圧して止める洗濯物押さえ具において、  前記本体は、一方向に長く形成され複数の物干し棒に交差して載置され通気性を有する板部材であり、前記板部材に沿う一対の側縁部には通気性のある生地や網が取り付けられ、前記通気性のある生地や網の側縁部にはその側縁に交差する切断線が形成され、前記切断線は、前記通気性のある生地や網を形成する網目を横断する位置に設けられ、切断された網目の切断面が前記物干し棒にかけられた洗濯物を両側から押圧して挟持することを特徴とする洗濯物押さえ具。    【請求項１５】物干し棒に載置される本体が設けられ、前記物干し棒にかけられた洗濯物を前記本体により、前記物干し棒に押圧して止める洗濯物押さえ具において、  前記物干し棒は、複数が折り畳み可能に設けられているとともに、折り畳み可能な物干しスタンドに取り付けられ、前記本体は、一方向に長く形成され前記複数の物干し棒に交差して載置可能に設けられ、紐体、チェーン、袋体、スポンジ、網、生地、またはトレイ状に作られていることを特徴とする洗濯物押さえ具。    【請求項１６】前記複数の物干し棒は、複数段の物干し部から成り、折り畳み可能に設けられ、折り畳み可能な物干しスタンドに取り付けられ、前記複数段の物干し部の下段の物干し部に対して押圧可能な押さえ具を、上段の物干し部裏面に備えたことを特徴とする請求項１５記載の洗濯物押さえ具。【国際調査報告】
2007125905.tif 000022
2007125905.tif 000023
2007125905.tif 000024
2007125905.tif 000025